(57)【特許請求の範囲】
【請求項１】
カバー本体と容器本体とを閉状態に係合するための係合部材を開口箇所に備えた電気機器収納用箱において、その係合部材には、内方に後退させて前記係合が解除される係合手段を備えるとともに、外側前端部分を錠操作部とし、その後端部に前記係合部材の後退動作を阻止する係止手段を備えた錠部材をその係合部材の外部表面から裏面に向けて貫通、配置したことを特徴とする電気機器収納用箱。
【請求項２】
前記錠部材が、その後端部分に偏心係止片を備え、回動可能に前記係合部材に嵌着されたものであって、その前端部分の錠操作部を捻ることにより前記偏心係止片を回動させ、その偏心先端部を前記蓋部または容器本体に係止させて、この係合部材の後退動作を阻止し、カバー本体が開かないようにした錠部材である請求項１に記載の電気機器収納用箱。
【請求項３】
前記錠部材に抜け止め溝を設けるとともに、前記係合部材側にこの抜け止め溝に対応する抜け止めピンを設けた請求項１または２に記載の電気機器収納用箱。
【請求項４】
前記錠部材の施錠および／または開錠に対応する位置にクリック部を設けた請求項１から３のいずれかに記載の電気機器収納用箱。
【発明の詳細な説明】
【０００１】
【発明の属する技術分野】
本発明は、分電盤などの電気機器収納用箱に関するものであって、特に、その蓋部と容器本体との係合部材の改良された構造に関する。
【０００２】
【従来の技術】
分電盤などの電気機器収納用箱は、電気機器を収める容器本体とその容器に蓋をするカバー本体とから構成され、その開口部には開閉が便利になるように各種構造の係合部材が取り付けられている。ここで、本発明の基礎となる係合部材について図６を参照して説明する。
【０００３】
図６は、電気機器収納用箱の容器本体２とその容器に蓋をするカバー本体１とを含む開口部の要部縦断面図である。この事例では、この開口部に容器本体２とカバー本体１とを係合する係合部材３が配置されている。そして、この係合部材３は、係合操作部３２と下方に延びる脚部３１から形成され、図６（Ａ）に示すように、係合部材３の脚部３１を容器本体２の形成された装着部２１に挿入され、その脚部３１の先端の抜け止め爪３３が装着部２１側の係止爪２２に係止して、抜け出さないように装着されている。また、係合操作部３２の側面に設けられた係止爪３４は、カバー本体１が開かないようにカバー本体１側の係止爪１１に係止されていている。
【０００４】
このような係合部材３において、カバー本体１を開くには、図６（Ｂ）に示すように、係合部材３の係合操作部３２を前面から指先などで押し込むと、係合部材３の脚部３１は固定されたままであるが、係合操作部３２は脚部３１の弾性に支えられながら内部方向に押し込まれる。このとき、係合操作部３２側面の係止爪３４は、カバー本体１側の係止爪１１との係合が外れるので、カバー本体１は上方に開くことができるようになる。
【０００５】
そして、前記係合操作部３２の押し込むのを止めれば、図６（Ｃ）に示すように、カバー本体１が開いた状態で前記係合操作部３２は、脚部３１の弾性によって当初の状態に復帰するのである。また、この状態から、カバー本体１を閉じれば、カバー本体１側の係止爪１１が係合操作部３２側面の係止爪３４を押し退けて開口部が完全に閉ざされるとともに、図６（Ａ）にような係止状態が再現され、開かないように状態が得られるのである。
【０００６】
このような係合部材を用いた容器本体とカバー本体の開閉係合機構においては、前記係合操作部に指が触れると意図しないときにカバー本体が開いてしまうという不都合があったので、簡単な構造で施錠できる仕組みを組み込むことが要望されていた。
【０００７】
【発明が解決しようとする課題】
本発明は、上記の問題点を解決するためになされたものであり、外部表面から簡単に操作でき、部品点数が少なく、組立性も優れた施錠機構を備えた電気機器収納用箱を提供する。
【０００８】
【課題を解決するための手段】
上記の問題を解決するためになされた本発明の電気機器収納用箱は、カバー本体と容器本体とを閉状態に係合するための係合部材を開口箇所に備えた電気機器収納用箱において、その係合部材には、内方に後退させて前記係合が解除される係合手段を備えるとともに、外側前端部分を錠操作部とし、その後端部に前記係合部材の後退動作を阻止する係止手段を備えた錠部材をその係合部材の外部表面から裏面に向けて貫通、配置したことを特徴とするものである。
【０００９】
そして本発明は、次の形態に具体化することができる。
（１）前記錠部材が、その後端部分に偏心係止片を備え、回動可能に前記係合部材に嵌着されたものであって、その前端部分の錠操作部を捻ることにより前記偏心係止片を回動させ、その偏心先端部を前記蓋部または容器本体に係止させて、この係合部材の後退動作を阻止し、カバー本体が開かないようにした錠部材である形態。
（２）前記錠部材に抜け止め溝を設けるとともに、前記係合部材側にこの抜け止め溝に対応する抜け止めピンを設けた形態。
（３）前記錠部材の施錠および／または開錠に対応する位置にクリック部を設けた形態。
【００１０】
【発明の実施の形態】
次に、本発明の電気機器収納用箱に係る実施形態を図１〜５を参照して説明する。
図１において、本発明の電気機器収納用箱では、カバー本体１と容器本体２とを閉状態に係合するための係合部材３を開口箇所に備えていて、その係合部材３は、その係合操作部３２を押し込んで内方に後退させれば、側面の係止爪３４とカバー本体１側の係止爪１１との係合が解除され係合手段であるところの係止爪３４を配置、備えているものである点において、先に説明したものと同様に構成されている電気機器収納用箱を前提にしている。なお、その係合操作部３２は、押し込むのを止めれて自由にすれば、先の係合が可能となる位置に弾力で復帰するものである。
【００１１】
そして、その最も特徴とするところは、その係合部材３には、外側前端部分を錠操作部４１とし、その後端部に前記係合部材３の係合操作部３２の後退動作を阻止する係止手段として偏心係止片４２を備えた錠部材４を前記係合部材３の係合操作部３２の外部表面から裏面に向けて貫通させて、嵌め合わせて取り付けた点にある。
【００１２】
この錠部材４と係合部材３との位置関係は、図１（Ａ）の要部断面図、（Ｂ）の裏面図、（Ｃ）の正面図に示してあり、ここで、この錠部材４は、回動可能に前記係合部材３の係合操作部３２に嵌着されている。そしてこの係合部材３は、下方に延びる脚部３１を容器本体２に形成された装着部２１に挿入して取り付けられている。また、装着部２１には、係合部材３が挿入されたときに過度に押し込まれるのを防止する規制壁２３が設けられ、係合部材３が破損しないように構成されている。
そして、この錠部材４のの前端部分の錠操作部４１を捻ることにより前記後端部の偏心係止片４２を回動させ、その偏心先端部４３を係合部材３と容器本体２の規制壁２３との隙間に差し込んで係止させて、この係合部材３の後退動作を阻止し、カバー本体１が開かないようにすることができる。
【００１３】
また、図２は、開錠状態を示す図で、（Ａ）（Ｂ）（Ｃ）は、図１のそれぞれに対応するものである。図１の状態から、錠操作部４１を９０度捻ることにより前記偏心係止片４２を回動させ、その偏心先端部４３が抜き出されるので係合状態が解除され、係合部材３の係合操作部３２を自由に押し込み操作することができるようになる。このようにして、本発明では、錠操作部４１を捻るだけで施錠、開錠を簡単に行うことができる利点が得られるのである。
【００１４】
なお、本発明の錠部材４において、その錠操作部４１には、図示のような単純な凹溝を形成しておき、マイナスドライバまたはコインなどで捻ることができるようにしておくだけで充分であるが、プラス凹溝その他適宜に操作可能な凹凸を設けておけばよい。また、前記偏心係止片４２は、前記係合部材３の係合操作部３２の後退動作を阻止する係止手段の一つであって、図示のものに限定されない。また、この実施形態（図１）では、前記偏心係止片４２を容器本体２側に係止させた形態で説明しているが、これはカバー本体１側に係止させても同様に機能するものである。
【００１５】
また、本発明に用いられる錠部材４は、図３にその前面図（Ａ）、側面図（Ｂ）、裏面図（Ｃ）、上面図（Ｄ）を示すように、円柱体の前面を前記錠操作部４１とし、後端部に偏心係止片４２を形成し、後端側に抜け止め溝４４とクリック凹部４５を形成しておくのが、次に説明するように組立性あるいは操作性の点から好適である。
【００１６】
ここで図４は、前記の錠部材４が取り付けられる係合部材３の裏面図（Ｂ）、断面図（Ａ）であって、その係合操作部３２には前後に貫通した空洞が設けられていて、その内面には抜け止めピン３５とクリックピン３６がそれぞれ突起した状態に各１対配置されている。そして、前記錠部材４をこの係合操作部３２の裏面側から挿入すると、図５に示すように、この錠部材４が係合操作部３２に回動可能に嵌め合わされて簡単に組み立てられることになる。
【００１７】
さらにその状態で、錠部材４側の抜け止め溝４４とクリック凹部４５に係合操作部３２側の抜け止めピン３５とクリックピン３６が合致するようにあらかじめ設定しておけば、抜け止め溝４４と抜け止めピン３５が嵌まり合い、錠部材４が抜け出すのを防止するとともに、クリック凹部４５とクリックピン３６とによって、錠部材４を捻るときに抵抗がかかって、施錠位置または開錠位置が容易に認識でき、誤動作が防止できる利点が得られる。なお、抜け止め溝の中にクリック凹部を設けてもよく、この場合さらに、抜け止めピンとクリックピンとを兼用させたものとしてもよい。
【００１８】
【発明の効果】
本発明の電気機器収納用箱は、以上に説明したように構成されているので、、錠部材の外側前端部分の錠操作部を操作するだけで外部から簡単に施錠、開錠の操作ができるという効果の他、錠部材がほぼ１体化されているので部品点数が少なく、係合部材に錠部材をはめ込み組み付けるだけでよいので組立性や仕上がり外観にも優れているという好ましい効果がある。よって本発明は従来の問題点を解消した電気機器収納用箱として、その工業的価値は極めて大なるものがある。
【図面の簡単な説明】
【図１】本発明の実施形態を説明するための要部断面図（Ａ）、係合部材の裏面図（Ｂ）、その正面図（Ｃ）。
【図２】本発明の実施形態の動作を説明するための要部断面図（Ａ）、係合部材の裏面図（Ｂ）、その正面図（Ｃ）。
【図３】本発明の錠部材の実施形態を示す正面（Ａ）、側面（Ｂ）、裏面（Ｃ）、上面（Ｄ）の各図。
【図４】本発明の係合部材の実施形態を示す断面図（Ａ）、裏面図（Ｂ）。
【図５】本発明の係合部材と錠部材の嵌め合い状態を示す断面図。
【図６】本発明の容器本体とカバー本体の係合動作を示す断面（Ａ）、（Ｂ）、（Ｃ）の各図。
【符号の説明】
１  カバー本体、１１  係止爪、２  容器本体、２１  装着部、２３  規制壁、３  係合部材、３２  係合操作部、３４  係止爪、３５  抜け止めピン、３６
クリックピン、４  錠部材、４１  錠操作部、４２  偏心係止片、４３  偏心先端部、４４  抜け止め溝、４５  クリック凹部。
【図１】
0003720181.tif 000002
【図２】
0003720181.tif 000003
【図３】
0003720181.tif 000004
【図４】
0003720181.tif 000005
【図５】
0003720181.tif 000006
【図６】
0003720181.tif 000007